(57)【要約】      （修正有）【課題】ＭＲＩコイルを覆うためのカバーにバルーンを装着した、バルーン付きＭＲＩコイルカバーを提供する【解決手段】ＭＲＩ腔内撮影用バルーンコイルのうち、バルーン２とコイル９を分離し、バルーン２を含む支持系統は使い捨てとした。また、バルーン２を装着したＭＲＩコイルカバーを発明したことにより、電気系統は再利用可能になる。【選択図】図７
2019188096.tif 000002
【特許請求の範囲】
【請求項１】
ＭＲＩコイルを覆うためのカバーにバルーンを装着した、バルーン付きＭＲＩコイルカバー。
【発明の詳細な説明】
【技術分野】
【０００１】  この発明は、ＭＲＩにおけるコイルを覆うためのカバーにバルーンを装着した特徴をもつバルーン付きＭＲＩコイルカバーに関するものである。
【背景技術】
【０００２】  従来、ＭＲＩにより前立腺、子宮などの管腔に隣接する臓器を撮影する際、バルーンとコイルが一体化した腔内撮影用プローブを用いて撮像を行っていた。体腔内に腔内撮影用プローブを挿入すると、体液や排泄物がプローブに付着するため、既存の腔内撮影用プローブはコイルを含め、使い捨てが原則であった。一方、感染の危険性が低い部位に対しては、コイルカバーを用いて腔内撮影用プローブを再利用することもあった。
【先行技術文献】
【０００３】
【特許文献１】特表２００８−５２０２８６  特表２００５−５３２８４６
【非特許文献１】なし。
【発明の概要】
【発明が解決しようとする課題】
【０００４】  これには次のような欠点があった。
（イ）腔内撮影用プローブはコイルとバルーンおよびシャフトが一体化しているため、再利用は医原性感染やバルーン破損の観点から推奨されていない。
（ロ）腔内撮影用プローブは個々の患者ごと新品を使うことを原則としているため、コンデンサーやコイルの受診部分など、高額な部品も使い捨てとなり、腔内撮影用プローブ本体の価格が高額になる。
（ハ）腔内撮影用プローブに用いられているバルーン部分は、アングロサクソン系の人々の体形にあわせてサイズ調整されており、比較的小柄な日本人にとって現行のバルーンサイズは大きく、直腸など体腔損傷の原因になる。
（ニ）支持部分であるバルーンとシャフトがコイルと一体化しているため、腔内撮影用プローブの形状や電気系統を自由に変更することができない。すなわち、ＭＲＩ機器メーカーが独自の腔内撮影用プローブを作り、様々な用途および患者の体形に合わせてカスタマイズすることが困難である。
本発明は、以上のような欠点をなくするためになされたものである。
【課題を解決するための手段】
【０００５】  腔内撮影用プローブ中のコイルやコンデンサーなど、高額な部品を使用している部分を分離し、コイルカバー、バルーン、シャフトなど安価な部分のみを使い捨てにできる形状にした。腔内撮影用プローブのうち、体腔に直に接する部分はすべて使い捨てとなるため、感染防止にもつながる。また、腔内撮影用プローブの一部であるコンデンサーなどの高額な部品は再利用可能となり、コストの削減が図れる。
体腔の形や大きさは個々の患者で大きく異なっており、単一サイズのバルーンをすべての患者に適応するのは望ましいこととは言えない。しかし、コイルを支持するバルーンの形状を適宜変更することにより、至適サイズの腔内撮影用プローブを使用することになり、コイルの位置ずれを抑制し、バルーン等による体腔損傷を回避できるようになる。
また、ＭＲＩ機器の本体を製造しているメーカーと腔内撮影用プローブを製造しているメーカーが異なっているため、腔内撮影用プローブの電気系統を含めた包括的な画像収集システムの構築および研究開発が困難であった。しかし、コイルの指示部と電気系統とを分離することにより、電気系統に関しては、包括的にＭＲＩ機器メーカーが独自に研究開発できるようになる。
本発明は、以上の構成よりなるバルーン付きＭＲＩコイルカバーである。
【発明の効果】
【０００６】  （イ）腔内撮影用プローブのうち、コイルやコンデンサーなど電気系統とバルーンなど支持系統を分離することにより、バルーンを再利用する必要がなくなった。すなわち、バルーン破損やバルーンを介した病原体感染などのトラブルの回避につながると考えられる。
（ロ）高額な電気系統を再利用する形状にしたことにより、検査に要するコストを削減できる。
（ハ）体腔の形や大きさは個々の患者で大きく異なっており、単一サイズのバルーンをすべての患者に使用するのは望ましいことではない。しかし、コイルを支持するバルーンの種類を複数揃えることにより、個々の患者に適合したバルーン選択が可能となる。個々の患者に適合したバルーンを選択することにより、コイルの位置ずれを抑制し、さらにはバルーンによる体腔損傷を回避できるようになる。
（ニ）ＭＲＩ機器の本体を製造しているメーカーと腔内撮影用プローブを製造しているメーカーが異なっているため、腔内撮影用プローブの電気系統を含めた包括的な画像収集システムの構築および研究開発が困難であった。しかし、コイルの指示部と電気系統とを分離することにより、電気系統に関しては、包括的にＭＲＩ機器メーカーが独自に研究開発できるようになる。
【図面の簡単な説明】
【０００７】
【図１】本発明のＭＲＩ撮影病変部からみた模式図である。
【図２】本発明の側面からみた模式図である。
【図３】バルーン虚脱時の側面図である。
【図４】バルーン虚脱後、コイル電気系統を装着した後の模式図である。
【図５】電気系統装着後、バルーンを拡張した状態の側面図である。
【図６】電気系統をコイルカバーに装着し、体腔に挿入した時の模式図である。
【図７】体腔挿入後、バルーンを拡張した時の模式図である。
【発明を実施するための形態】
【０００８】  以下、本発明を実施するための最良の形態について説明する。
腔内撮影用プローブを用いてＭＲＩ画像撮影を行うためには、バルーン等の支持系統とコイルを含む電気系統が必要である。腔内撮影用プローブのうち電気系統を再利用するためにバルーンとコイルを分離し、バルーンとコイルカバーとを一体化することにより、支持機能をもったコイルカバーが発明された。すなわち、本発明は、コイルを覆うためのカバーにバルーンを装着した特徴をもつバルーン付きＭＲＩコイルカバーに関するものである。
本発明は、以上のような構造である。
これを使用するときは、まず、バルーンを脱気し、虚脱した状況でコイル電気系統（９）をコイルカバー（１）に挿入。バルーンの中心部にコイルループの中心部が位置するように調整する。コイル固定具にコイルのシャフトを装着する。そのまま、体腔にバルーン付きＭＲＩコイルカバーを挿入し、バルーンがほぼ挿入し終えた時点で、バルーンを拡張させる。このとき、体腔の内圧が上昇するので、シャフトの両端に腔外圧調整自然口（７）と腔内圧調整自然口（８）を設け、外気圧と体腔内圧との圧不均衡を是正し、臓器への機械的なストレスを軽減させる。撮影は、バルーンを適当な大きさになるまで拡張させて行う。撮影が終了したらバルーンを虚脱させ、コイルカバーごとコイルを引き抜く。
【符号の説明】
【０００９】１  コイルカバー
２  バルーン
３  バルーン注入口
４  コイル固定具
５  シャフト栓
６  バルーン栓
７  腔外圧調整自然口
８  腔内圧調整自然口
９  コイル電気系統
１０  コイルのシャフト
１１  体腔（直腸など）
１２  撮影臓器（前立腺など）
【図１】
2019188096.tif 000003
【図２】
2019188096.tif 000004
【図３】
2019188096.tif 000005
【図４】
2019188096.tif 000006
【図５】
2019188096.tif 000007
【図６】
2019188096.tif 000008
【図７】
2019188096.tif 000009